(57)【要約】【課題】容易に小型化を図る。【解決手段】点灯制御装置４は、第１半導体スイッチ４３及び第２半導体スイッチ４４が実装されるプリント配線板５を備える。プリント配線板５は、第１端子部４１と第１半導体スイッチ４３を電気的に接続する第１導体５１と、第２端子部４２と第２半導体スイッチ４４を電気的に接続する第２導体５２とを有する。第１導体５１及び第２導体５２は、第１導体５１に印加される交流電圧（第１信号電圧）と第２導体５２に印加される交流電圧（第２信号電圧）の電位差を小さくするように、プリント配線板５の表面において並行するように形成されている。【選択図】        図３
2018200809.tif 000002
【特許請求の範囲】
【請求項１】
外部電源と電気的に接続される第１端子部と、
前記外部電源と電気的に接続される第２端子部と、
前記外部電源からの給電の有無に応じてオン状態とオフ状態を切り換える第１半導体スイッチと、
前記外部電源からの給電の有無に応じてオン状態とオフ状態を切り換える第２半導体スイッチと、
前記第１半導体スイッチのオン状態及びオフ状態と前記第２半導体スイッチのオン状態及びオフ状態との組み合わせに応じた制御内容の制御信号を作成する制御回路と、
前記第１半導体スイッチ及び前記第２半導体スイッチが実装されるプリント配線板と
を備え、
前記プリント配線板は、
前記第１端子部から前記第１半導体スイッチを経て前記第２端子部に至る電路を形成する第１導体と、
前記第１端子部から前記第２半導体スイッチを経て前記第２端子部に至る電路を形成する第２導体と
を有し、
前記第１導体及び前記第２導体は、前記プリント配線板の表面において並行するように形成されている
ことを特徴とする点灯制御装置。
【請求項２】
前記第１導体の一端と前記第２導体の一端とが電気的に接続されている
ことを特徴とする請求項１記載の点灯制御装置。
【請求項３】
前記第１半導体スイッチ及び前記第２半導体スイッチの各々は、前記外部電源と電気的に接続される入力端子と、前記制御回路と電気的に接続される出力端子とを有し、前記入力端子と前記出力端子が電気的に絶縁されている
ことを特徴とする請求項１又は２記載の点灯制御装置。
【請求項４】
請求項１−３のいずれか１項に記載の点灯制御装置と、
光源を点灯させる点灯回路と
を有し、
前記点灯回路は、前記点灯制御装置から出力される前記制御信号の制御内容に応じて前記光源に供給する電流の大きさを変化させる
ことを特徴とする点灯装置。
【請求項５】
請求項４記載の点灯装置と、
前記点灯装置によって点灯させられる光源と、
前記光源及び前記点灯装置を収容する器具本体と
を備える
ことを特徴とする照明器具。
【発明の詳細な説明】
【技術分野】
【０００１】
本発明は、点灯制御装置、点灯装置及び照明器具に関し、より詳細には、光源の点灯状態を制御する点灯制御装置、当該点灯制御装置を有する点灯装置、及び前記点灯装置を備える照明器具に関する。
【背景技術】
【０００２】
照明器具の従来例として、特許文献１記載のトンネル照明システムに用いられる照明器具を例示する。特許文献１記載の照明器具は、発光ダイオードで構成される２つの光源と、各光源を個別に点灯させる２つの点灯回路部と、常閉型のリレー接点からなる２つの開閉部と、電磁リレーからなり、各開閉部を開閉する２つの開閉制御部とを備える。各点灯回路部はＡＣ／ＤＣコンバータで構成される。一方の点灯回路部は、一方の開閉部を介して電源線と電気的に接続されている。他方の点灯回路部は、他方の開閉部を介して前記電源線と電気的に接続されている。一方の開閉制御部は、一方の信号線を介して外部から励磁電流が供給されているときに一方の開閉部をオフさせる。他方の開閉制御部は、他方の信号線を介して外部から励磁電流が供給されているときに他方の開閉部をオフさせる。特許文献１記載の照明器具は、各信号線を介した励磁電流の供給の有無の組み合わせにより、２つの光源を消灯、全点灯、調光点灯の３つの状態に択一的に切り換えることができる。
【先行技術文献】
【特許文献】
【０００３】
【特許文献１】特開2014-137867号公報
【発明の概要】
【発明が解決しようとする課題】
【０００４】
ところで、特許文献１に記載されているようなトンネル照明システムにおいては、トンネルの長さに応じて信号線の長さが数キロメートル乃至十数キロメートルに達する場合がある。そのため、信号線に印加される電圧は、電源線に印加される交流電圧と同程度の高い電圧（例えば、実効値１００ボルトの交流電圧）であることが好ましい。
【０００５】
しかしながら、照明器具において、信号線に印加される電圧が高くなると各信号線と各開閉部を電気的に接続している電路（プリント配線板の導体）同士の絶縁距離を大きくする必要がある。そうすると、プリント配線板の小型化を図ることが難しくなる。
【０００６】
本発明の目的は、容易に小型化を図ることができる点灯制御装置、点灯装置及び照明器具を提供することである。
【課題を解決するための手段】
【０００７】
本発明の一態様に係る点灯制御装置は、外部電源と電気的に接続される第１端子部と、前記外部電源と電気的に接続される第２端子部と、前記外部電源からの給電の有無に応じてオン状態とオフ状態を切り換える第１半導体スイッチとを備える。前記点灯制御装置は、前記外部電源からの給電の有無に応じてオン状態とオフ状態を切り換える第２半導体スイッチを備える。前記点灯制御装置は、前記第１半導体スイッチのオン状態及びオフ状態と前記第２半導体スイッチのオン状態及びオフ状態との組み合わせに応じた制御内容の制御信号を作成する制御回路を備える。前記点灯制御装置は、前記第１半導体スイッチ及び前記第２半導体スイッチが実装されるプリント配線板を備える。前記プリント配線板は、前記第１端子部から前記第１半導体スイッチを経て前記第２端子部に至る電路を形成する第１導体と、前記第１端子部から前記第２半導体スイッチを経て前記第２端子部に至る電路を形成する第２導体とを有する。前記第１導体及び前記第２導体は、前記プリント配線板の表面において並行するように形成されている。
【０００８】
本発明の一態様に係る点灯装置は、前記点灯制御装置と、光源を点灯させる点灯回路とを有している。前記点灯回路は、前記点灯制御装置から出力される前記制御信号の制御内容に応じて前記光源に供給する電流の大きさを変化させる。
【０００９】
本発明の一態様に係る照明器具は、前記点灯装置と、前記点灯装置によって点灯させられる光源と、前記光源及び前記点灯装置を収容する器具本体とを備える。
【発明の効果】
【００１０】
本発明の点灯制御装置、点灯装置及び照明器具は、容易に小型化を図ることができるという効果がある。
【図面の簡単な説明】
【００１１】
【図１】図１は、本発明の一実施形態に係る照明器具を有する照明システムのシステム構成図である。
【図２】図２は、本発明の一実施形態に係る点灯制御装置の回路構成図である。
【図３】図３は、同上の点灯制御装置の一部省略した平面図である。
【図４】図４は、同上の点灯制御装置の変形例の回路構成図である。
【図５】図５Ａは、同上の照明器具の正面図である。図５Ｂは、同上の照明器具の側面図である。
【発明を実施するための形態】
【００１２】
以下、本発明の点灯制御装置、点灯装置及び照明器具の一実施形態について、図面を参照して詳細に説明する。なお、以下に説明する照明器具の実施形態はトンネル照明用の照明器具を例示するが、トンネル照明用の照明器具以外の照明器具、例えば、道路照明用の照明器具などであっても構わない。以下の実施形態で説明する構成は本発明の一例にすぎない。本発明は、以下の実施形態に限定されず、本発明の効果を奏することができれば、設計等に応じて種々の変更が可能である。
【００１３】
まず、本実施形態の照明器具１を含むトンネル照明用の照明システムについて、簡単に説明する。この照明システムは、例えば、図１に示すように、外部電源９と、制御盤８と、複数台（図示は１台のみ）の照明器具１とを有している。外部電源９は、例えば、実効値が１００ボルトの正弦波交流電圧を供給する。外部電源９から一対の電線（電圧線９０及び中性線９１）を介して各照明器具１に給電される。なお、電圧線９０から分岐電圧線９２が分岐され、中性線９１から分岐中性線９３が分岐されている。
【００１４】
制御盤８は、第１開閉器８１と第２開閉器８２を備える。第１開閉器８１及び第２開閉器８２は、例えば、常時開路接点を有する電磁リレー（単安定リレー）である。ただし、第１開閉器８１及び第２開閉器８２は、常時閉路接点を有する単安定リレー、あるいは双安定リレー（ラッチングリレー）、もしくは半導体リレー（ソリッドステートリレー）であっても構わない。第１開閉器８１は、分岐電圧線９２から分岐された第１信号線９２１に挿入されている。第２開閉器８２は、分岐電圧線９２から分岐された第２信号線９２２に挿入されている。つまり、制御盤８は、第１開閉器８１の常時開路接点を閉じることによって第１信号線９２１と分岐中性線９３の間に外部電源９の交流電圧Ｖａを印加する。同じく、制御盤８は、第２開閉器８２の常時開路接点を閉じることによって第２信号線９２２と分岐中性線９３の間に外部電源９の交流電圧Ｖａを印加する。ただし、以下の説明においては、第１信号線９２１と分岐中性線９３の間に印加される交流電圧Ｖａを第１信号電圧Ｖ１と呼び、第２信号線９２２と分岐中性線９３の間に印加される交流電圧Ｖａを第２信号電圧Ｖ２と呼ぶ場合がある。
【００１５】
照明器具１は、光源であるＬＥＤ（Light Emitting Diode）モジュール３と点灯装置２を備える。点灯装置２は、点灯回路２０と点灯制御装置４を有する。点灯回路２０は、電圧線９０及び中性線９１を介して外部電源９から供給される交流電力を直流電力に変換し、変換した直流電力をＬＥＤモジュール３に供給することでＬＥＤモジュール３を点灯させる。また、点灯回路２０は、点灯制御装置４から与えられる制御信号の制御内容に応じて直流電力を増減することにより、ＬＥＤモジュール３を調光点灯させるように構成されている。ただし、このような点灯回路２０は、例えば、出力が可変であるコンバータ回路（降圧チョッパ回路、昇降圧チョッパ回路など）で実現されることが好ましい。
【００１６】
点灯制御装置４は、分岐中性線９３と電気的に接続される第１端子部４１と、第１信号線９２１及び第２信号線９２２と電気的に接続される第２端子部４２と、点灯回路２０に対して制御信号を出力する出力端子部４７とを有している。
【００１７】
続いて、図２を参照して点灯制御装置４の回路構成を詳細に説明する。点灯制御装置４は、第１端子部４１、第２端子部４２及び出力端子部４７に加えて、制御回路４０、第１半導体スイッチ４３、第２半導体スイッチ４４、ダイオード４５、抵抗器４６０、４６１、コンデンサ４６２、４６３などを有している。第１端子部４１は２つの端子４１１、４１２を有している。一方の端子４１１にダイオード４５のアノードが電気的に接続されている。ダイオード４５のカソードに２つの抵抗器４６０、４６１の第１端が電気的に接続されている。第２端子部４２は２つの端子４２１、４２２を有している。一方の端子４２１にコンデンサ４６２の第１端が電気的に接続されている。このコンデンサ４６２の第２端が抵抗器４６０の第２端と電気的に接続されている。他方の端子４２２にコンデンサ４６３の第１端が電気的に接続されている。このコンデンサ４６３の第２端が抵抗器４６１の第２端と電気的に接続されている。
【００１８】
第１半導体スイッチ４３は、第１ＬＥＤ４３０と、第１フォトトランジスタ４３１とを有するフォトカプラで構成されている。また、第２半導体スイッチ４４は、第２ＬＥＤ４４０と、第２フォトトランジスタ４４１とを有するフォトカプラで構成されている。つまり、第１ＬＥＤ４３０のアノードとカソードが第１半導体スイッチ４３の入力端子に相当し、第１フォトトランジスタ４３１のコレクタとエミッタが第１半導体スイッチ４３の出力端子に相当する。同じく、第２ＬＥＤ４４０のアノードとカソードが第２半導体スイッチ４４の入力端子に相当し、第２フォトトランジスタ４４１のコレクタとエミッタが第２半導体スイッチ４４の出力端子に相当する。なお、第１フォトトランジスタ４３１のエミッタ及び第２フォトトランジスタ４４１のエミッタは、回路のグランドと電気的に接続されている。また、第１フォトトランジスタ４３１のコレクタ及び第２フォトトランジスタ４４１のコレクタは、制御電源電圧Ｖccにプルアップされている。ただし、制御電源電圧Ｖccは、点灯装置２が備える定電圧源（例えば、３端子レギュレータなど）から供給されることが好ましい。第１ＬＥＤ４３０のアノードが抵抗器４６０の第２端及びコンデンサ４６２の第２端と電気的に接続されている。また、第１ＬＥＤ４３０のカソードがコンデンサ４６２の第１端及び第２端子部４２の端子４２１と電気的に接続されている。第２ＬＥＤ４４０のアノードが抵抗器４６１の第２端及びコンデンサ４６３の第２端と電気的に接続されている。また、第２ＬＥＤ４４０のカソードがコンデンサ４６３の第１端及び第２端子部４２の端子４２２と電気的に接続されている。
【００１９】
ここで、第１端子部４１の端子４１１が分岐中性線９３と電気的に接続されている。第２端子部４２の端子４２１が第１信号線９２１と電気的に接続され、第２端子部４２の端子４２２が第２信号線９２２と電気的に接続されている。つまり、制御盤８の第１開閉器８１がオン状態のときに第１信号線９２１と分岐中性線９３を介して第１端子部４１の端子４１１と第２端子部４２の端子４２１の間に交流電圧Ｖａ（第１信号電圧Ｖ１）が印加される。また、制御盤８の第２開閉器８２がオン状態のときに第２信号線９２２と分岐中性線９３を介して第１端子部４１の端子４１１と第２端子部４２の端子４２２の間に交流電圧Ｖａ（第２信号電圧Ｖ２）が印加される。
【００２０】
第１端子部４１の端子４１１及び第２端子部４２に入力される第１信号電圧Ｖ１及び第２信号電圧Ｖ２は、ダイオード４５によって半波整流される。半波整流された第１信号電圧Ｖ１は抵抗器４６０とコンデンサ４６２の積分回路によって積分される。また、半波整流された第２信号電圧Ｖ２は抵抗器４６１とコンデンサ４６３の積分回路によって積分される。ただし、各積分回路の時定数は、外部電源９の交流電圧Ｖａの１周期よりも長い時間に設定されることが好ましい。
【００２１】
第１端子部４１及び第２端子部４２に第１信号電圧Ｖ１が入力されている場合、第１半導体スイッチ４３の第１ＬＥＤ４３０が発光して第１フォトトランジスタ４３１がオンする。また、第１端子部４１及び第２端子部４２に第２信号電圧Ｖ２が入力されている場合、第２半導体スイッチ４４の第２ＬＥＤ４４０が発光して第２フォトトランジスタ４４１がオンする。つまり、第１半導体スイッチ４３は、第１信号線９２１に第１信号電圧Ｖ１が印加されている場合にオン状態となり、第１信号線９２１に第１信号電圧Ｖ１が印加されていない場合にオフ状態となる。同じく、第２半導体スイッチ４４は、第２信号線９２２に第２信号電圧Ｖ２が印加されている場合にオン状態となり、第２信号線９２２に第２信号電圧Ｖ２が印加されていない場合にオフ状態となる。
【００２２】
制御回路４０は、例えば、マイクロコントローラで構成されている。制御回路４０は、制御電源電圧Ｖccが供給されて動作する。制御回路４０の第１入力ポート４０１が第１フォトトランジスタ４３１のコレクタと電気的に接続されている。制御回路４０の第２入力ポート４０２が第２フォトトランジスタ４４１のコレクタと電気的に接続されている。制御回路４０の出力ポート４０３が出力端子部４７と電気的に接続されている。制御回路４０は、第１入力ポート４０１の入力（以下、第１入力ともいう）、及び第２入力ポート４０２の入力（以下、第２入力ともいう）に応じた制御内容の制御信号を作成するように動作する。なお、第１入力ポート４０１の第１入力は、第１半導体スイッチ４３がオフ状態のときにハイレベル（制御電源電圧Ｖcc）となり、第１半導体スイッチ４３がオン状態のときにローレベル（グランド電位）となる。同様に、第２入力ポート４０２の第２入力は、第２半導体スイッチ４４がオフ状態のときにハイレベル（制御電源電圧Ｖcc）となり、第２半導体スイッチ４４がオン状態のときにローレベル（グランド電位）となる。
【００２３】
制御回路４０は、第１入力及び第２入力が双方ともハイレベルの場合、点灯回路２０から出力される直流電力を定格値（１００％）とする制御内容の制御信号を作成する。また、制御回路４０は、第１入力がハイレベルかつ第２入力がローレベルの場合、点灯回路２０から出力される直流電力を定格値の５０％とする制御内容の制御信号を作成する。さらに、制御回路４０は、第１入力がローレベルかつ第２入力がハイレベルの場合、点灯回路２０から出力される直流電力を定格値の３０％とする制御内容の制御信号を作成する。また、制御回路４０は、第１入力及び第２入力が双方ともローレベルの場合、点灯回路２０から出力される直流電力を定格値の０％とする制御内容の制御信号を作成する。ここで、制御回路４０が作成する制御信号は、例えば、ＰＷＭ（パルス幅変調）信号である。つまり、制御回路４０は、点灯回路２０から出力される直流電力の大きさ（１００％、５０％、３０％、０％）に対応したデューティ比を有するＰＷＭ信号を作成する。
【００２４】
点灯回路２０は、点灯制御装置４の出力端子部４７から受け取る制御信号の制御内容（ＰＷＭ信号のデューティ比）に応じて、ＬＥＤモジュール３に供給する直流電力を１００％（定格値）、５０％、３０％、０％に切り換える。その結果、照明器具１から放射される光束が１００％、５０％、３０％、０％に切り換わる。ただし、点灯回路２０は、ＰＷＭ信号のデューティ比で指示される直流電力の大きさが０％のとき、ＬＥＤモジュール３に印加する直流の出力電圧をＬＥＤモジュール３の点灯開始電圧未満とすることによってＬＥＤモジュール３を消灯させることが好ましい。
【００２５】
続いて、点灯制御装置４の実装構造について、図３を参照して説明する。点灯制御装置４は、プリント配線板５を有している。プリント配線板５は、矩形板状の絶縁基板５０の表面（はんだ面）に導体及びランドが印刷されて構成されている。導体は、第１導体５１と第２導体５２を含んでいる。ランドは、第１端子部４１の端子４１１用のランド６０、第２端子部４２の２つの端子４２１、４２２用の２つのランド６１、６２とを含んでいる。また、ランドは、第１半導体スイッチ４３の入力端子とはんだ接合されるパッド６３０、６３１及び第２半導体スイッチ４４の入力端子とはんだ接合されるパッド６３２、６３３を含んでいる。ランドは、ダイオード４５のアノードとはんだ接合されるパッド６５０、ダイオード４５のカソードとはんだ接合されるパッド６５１を含んでいる。ランドは、更に、各抵抗器４６０、４６１の端子とはんだ接合されるパッド６４０−６４３、各コンデンサ４６２、４６３の端子とはんだ接合されるパッド６４４−６４７を含んでいる。
【００２６】
第１導体５１は、ランド６０とパッド６５０、パッド６５１とパッド６４０、バッド６４１とパッド６３１、パッド６３１とパッド６４５、パッド６４４とパッド６３０、パッド６３０とランド６１をそれぞれ電気的に接続するように形成されている。第２導体５２は、パッド６４０とパッド６４２、パッド６４３とパッド６４６、パッド６４７とパッド６３２、パッド６３２とランド６２をそれぞれ電気的に接続するように形成されている。つまり、第１導体５１は、第１端子部４１から第１半導体スイッチ４３を経て第２端子部４２に至る電路を形成し、第２導体５２は、第１端子部４１から第２半導体スイッチ４４を経て第２端子部４２に至る電路を形成している。また、第１導体５１と第２導体５２は、プリント配線板５の表面において、並行するように形成されている。さらに、プリント配線板５は、ランド６０からパッド６４０までの第１導体５１と、ランド６０からパッド６４０までの第２導体５２とを共用している。
【００２７】
ここで、第１信号線９２１及び第２信号線９２２は１つの外部電源９から交流電圧Ｖａ（第１信号電圧Ｖ１及び第２信号電圧Ｖ２）が供給されている。そのため、第１信号電圧Ｖ１の位相と第２信号電圧Ｖ２の位相は等しくなる。したがって、プリント配線板５において、第１導体５１及び第２導体５２は、第１導体５１に印加される第１信号電圧Ｖ１と第２導体５２に印加される第２信号電圧Ｖ２の電位差を小さくする（ほぼゼロとする）ことができる。ただし、制御盤８の第１開閉器８１と第２開閉器８２のうちの一方の開閉器のみがオンしている場合、第１導体５１と第２導体５２の間の電位差は交流電圧Ｖａに等しくなる。したがって、第１導体５１と第２導体５２の間の絶縁距離は、交流電圧Ｖａのピーク電圧（約１４１ボルト）に対応した絶縁距離であればよい。ここで、仮に第１信号電圧Ｖ１の位相と第２信号電圧Ｖ２の位相との位相差が大きい、例えば、位相差がπ［ラジアン］となった場合、第１導体５１と第２導体５２の間の絶縁距離は、交流電圧のピーク電圧の２倍（約２８２ボルト）に対応した距離が必要である。これに対して、点灯制御装置４では、第１信号電圧Ｖ１の位相と第２信号電圧Ｖ２の位相との位相差がほぼゼロとなるので、第１導体５１と第２導体５２の距離を容易に狭めることができる。
【００２８】
ところで従来の一般的な実装構造では、第１端子部４１の一方の端子４１１から第１端子部４１の他方の端子４１２に戻る導体パターンと、第２端子部４２の一方の端子４２１から第２端子部４２の他方の端子４２２に戻る導体パターンとが独立して形成される。この場合、２つの導体パターンが最も接近する箇所における２つの導体パターンの距離を、外部電源９から供給される交流電圧Ｖａのピーク−ピーク値（例えば、約２８２ボルト）に対応した距離だけ離さなければならなかった。つまり、本実施形態の点灯制御装置４では、従来の一般的な実装構造を採用した場合と比較して、第１導体５１と第２導体５２の距離を容易に狭めることができる。
【００２９】
上述のように、本実施形態の点灯制御装置４では、第１導体５１及び第２導体５２が、プリント配線板５の表面において並行するように形成されている。そのため、本実施形態の点灯制御装置４では、プリント配線板５の表面における第１導体５１と第２導体５２の距離を狭めやすくなるので、容易に小型化を図ることができる。
【００３０】
ここで、図４を参照して点灯制御装置４の変形例の回路構成を簡単に説明する。この変形例は、２つのダイオード４５Ａ、４５Ｂを有している。一方のダイオード４５Ａのアノードが第１端子部４１の一方の端子４１１と電気的に接続され、ダイオード４５Ａのカソードが抵抗器４６０の第１端と電気的に接続されている。他方のダイオード４５Ｂのアノードが第１端子部４１の他方の端子４１２と電気的に接続され、ダイオード４５Ｂのカソードが抵抗器４６１の第１端と電気的に接続されている。つまり、この変形例においては、第１端子部４１の一方の端子４１１と第２端子部４２の一方の端子４２１の間に第１信号電圧Ｖ１が印加される。また、第１端子部４１の他方の端子４１２と第２端子部４２の他方の端子４２２の間に第２信号電圧Ｖ２が印加される。つまり、この変形例は、第１導体５１と第２導体５２が電気的に独立して形成されている。変形例においても、第１信号電圧Ｖ１の位相と第２信号電圧Ｖ２の位相は等しくなる。したがって、プリント配線板５において、第１導体５１及び第２導体５２は、第１導体５１に印加される第１信号電圧Ｖ１と第２導体５２に印加される第２信号電圧Ｖ２の電位差をほぼゼロとすることができる。ただし、本実施形態の点灯制御装置４は、第１信号電圧Ｖ１と第２信号電圧Ｖ２を１つのダイオード４５で半波整流するように構成されているので、２つのダイオード４５Ａ、４５Ｂを有する変形例に比べて回路素子の削減と実装面積の縮小を図ることができる。
【００３１】
続いて、照明器具１の構造について、図５Ａ及び図５Ｂを参照して説明する。照明器具１は、点灯装置２と、ＬＥＤモジュール３と、器具本体１０とを備える。器具本体１０は、筐体１１と、カバー１２とを有する。筐体１１は、金属材料により、前面が開口する箱状に形成されている。カバー１２は、パネル１２０と枠体１２１とを有する。パネル１２０は、石英ガラスやポリカーボネート樹脂などの透光性材料により、筐体１１の開口部分の外形に一致した平板状に形成されている。枠体１２１は、金属材料により、筐体１１の開口部分の外形に一致した枠状に形成されてパネル１２０の周縁を全周に渡って支持するように構成されている。カバー１２は、一対の蝶番１３により、筐体１１の前面開口を閉塞する閉位置と、前面開口を開放する開位置との間で回転可能となるように筐体１１に取り付けられる。また、筐体１１の端縁には、一対の止め具１４が設けられる。すなわち、カバー１２が閉位置に在る状態において、一対の止め具１４がカバー１２の自由端側の端部に引っ掛かることでカバー１２が閉位置で固定される。
【００３２】
また、器具本体１０（筐体１１）の外側の底面には、トンネルの壁面に取り付けるため、２つの取付金具１５が外側に突出するように設けられている。これらの取付金具１５は、ねじ止めされることで器具本体１０がトンネルの壁面に固定される。
【００３３】
点灯装置２は、点灯回路２０を収容した第１ケース２１と、点灯制御装置４を収容した第２ケース４８とを有している（図５Ａ参照）。第１ケース２１及び第２ケース４８は、それぞれ金属板によって箱状に形成されている。第１ケース２１及び第２ケース４８は、例えば、筐体１１の内底面に固定されている。また、筐体１１の内底面には端子台１６が取り付けられている。図５Ａ、図５Ｂでは図示が省略されているが、端子台１６には電圧線９０、中性線９１、分岐中性線９３、第１信号線９２１及び第２信号線９２２が電気的に接続される。第１ケース２１に収容されている点灯回路２０は、端子台１６を介して電圧線９０及び中性線９１と電気的に接続されている。第２ケース４８に収容されている点灯制御装置４は、端子台１６を介して分岐中性線９３、第１信号線９２１及び第２信号線９２２と電気的に接続されている。なお、電圧線９０、中性線９１、分岐中性線９３、第１信号線９２１及び第２信号線９２２は、筐体１１の側壁に設けられているケーブルグランド１７によって筐体１１内に引き込まれている。
【００３４】
上述のように構成される照明器具１は、点灯制御装置４の小型化に伴って器具本体１０の小型化を図ることができる。
【００３５】
点灯制御装置４は上述のように、外部電源９と電気的に接続される第１端子部４１と、外部電源９と電気的に接続される第２端子部４２とを備える。点灯制御装置４は、外部電源９からの給電の有無に応じてオン状態とオフ状態を切り換える第１半導体スイッチ４３と、外部電源９からの給電の有無に応じてオン状態とオフ状態を切り換える第２半導体スイッチ４４とを備える。点灯制御装置４は、第１半導体スイッチ４３のオン状態及びオフ状態と第２半導体スイッチ４４のオン状態及びオフ状態との組み合わせに応じた制御内容の制御信号を作成する制御回路４０を備える。点灯制御装置４は、第１半導体スイッチ４３及び第２半導体スイッチ４４が実装されるプリント配線板５を備える。プリント配線板５は、第１端子部４１から第１半導体スイッチ４３を経て第２端子部４２に至る電路を形成する第１導体５１と、第１端子部４１から第２半導体スイッチ４４を経て第２端子部４２に至る電路を形成する第２導体５２とを有する。第１導体５１及び第２導体５２は、プリント配線板５の表面において並行するように形成されている。
【００３６】
点灯制御装置４は上述のように構成されるので、外部電源９から第１導体５１及び第２導体５２のそれぞれに印加される電圧（第１信号電圧Ｖ１及び第２信号電圧Ｖ２）の電位差を小さくすることができる。そのため、点灯制御装置４は、プリント配線板５の表面における第１導体５１と第２導体５２の距離を狭めやすくして、容易に小型化を図ることができる。
【００３７】
点灯制御装置４において、第１導体５１の一端と第２導体５２の一端とが電気的に接続されていることが好ましい。
【００３８】
点灯制御装置４は上述のように構成されるので、第１導体５１と第２導体５２の一部分を共用することにより、第１導体５１及び第２導体５２の配線パターンの面積を減らして小型化を図ることができる。
【００３９】
点灯制御装置４において、第１半導体スイッチ４３及び第２半導体スイッチ４４の各々は、外部電源９と電気的に接続される入力端子（第１ＬＥＤ４３０のアノード及びカソードと第２ＬＥＤ４４０のアノード及びカソード）を有することが好ましい。第１半導体スイッチ４３及び第２半導体スイッチ４４は、制御回路４０と電気的に接続される出力端子（第１フォトトランジスタ４３１のコレクタ及びエミッタと第２フォトトランジスタ４４１のコレクタ及びエミッタ）とを有することが好ましい。第１半導体スイッチ４３及び第２半導体スイッチ４４は、入力端子と出力端子が電気的に絶縁されていることが好ましい。
【００４０】
点灯制御装置４は上述のように構成されるので、第１半導体スイッチ４３及び第２半導体スイッチ４４によって第１端子部４１及び第２端子部４２と制御回路４０を電気的に絶縁することができる。その結果、点灯制御装置４は、第１端子部４１及び第２端子部４２と制御回路４０との間の距離を狭めて小型化を図ることができる。
【００４１】
点灯装置２は上述のように、点灯制御装置４と、ＬＥＤモジュール３（光源）を点灯させる点灯回路２０とを有する。点灯回路２０は、点灯制御装置４から出力される制御信号の制御内容に応じてＬＥＤモジュール３に供給する電流の大きさを変化させる。
【００４２】
点灯装置２は上述のように構成されるので、点灯制御装置４の小型化に伴って容易に小型化を図ることができる。
【００４３】
照明器具１は上述のように、点灯装置２と、点灯装置２によって点灯させられる光源（ＬＥＤモジュール３）と、ＬＥＤモジュール３及び点灯装置２を収容する器具本体１０とを備える。
【００４４】
照明器具１は上述のように構成されるので、点灯制御装置４の小型化に伴って容易に小型化を図ることができる。
【符号の説明】
【００４５】
１  照明器具
２  点灯装置
３  ＬＥＤモジュール（光源）
４  点灯制御装置
５  プリント配線板
９  外部電源
１０  器具本体
４０  制御回路
４１  第１端子部
４２  第２端子部
４３  第１半導体スイッチ
４４  第２半導体スイッチ
５１  第１導体
５２  第２導体
【図１】
2018200809.tif 000003
【図２】
2018200809.tif 000004
【図３】
2018200809.tif 000005
【図４】
2018200809.tif 000006
【図５】
2018200809.tif 000007